(57)【要約】【課題】虹のような光模様の発生を抑制することが可能な光制御シートを提供する。【解決手段】光制御シートは、第１面において間隔を空けて配置された複数の溝を有する光透過部と、前記溝に形成され、前記光透過部の屈折率と異なる屈折率を有する光制御部であって、第１屈折率を有する第１光制御部分と、前記第１屈折率と異なる第２屈折率を有する第２光制御部分とを含む光制御部と、を含む。【選択図】図４
2018132735.tif 000002
【特許請求の範囲】
【請求項１】
第１面及び第２面を有し、前記第１面から入射する光の進行方向を変えて前記第２面へ透過させる光制御シートであって、
前記第１面において間隔を空けて配置された複数の溝を有する光透過部と、
前記溝に形成され、前記光透過部の屈折率と異なる屈折率を有する光制御部であって、第１屈折率を有する第１光制御部分と、前記第１屈折率と異なる第２屈折率を有する第２光制御部分とを含む光制御部と、
を含む、光制御シート。
【請求項２】
前記光透過部と前記光制御部との間の界面は、前記光の反射面を構成する第１界面と、前記第１界面に対して前記光制御部を挟んで反対側に位置する第２界面と、を有し、
前記第１界面は、
前記第１面から前記第２面に向かって形成され、前記第１面の法線方向に対して第１角度を有する第１傾斜面と、
前記第１傾斜面よりも前記第２面側に形成され、前記法線方向に対して、前記第１角度よりも小さい第２角度を有する第２傾斜面と、
を有する、請求項１に記載の光制御シート。
【請求項３】
前記光透過部の前記屈折率は前記第１屈折率よりも大きく、前記第１屈折率は前記第２屈折率よりも大きい、請求項１に記載の光制御シート。
【請求項４】
前記第１光制御部分は樹脂であり、前記第２光制御部分は気体である、請求項１に記載の光制御シート。
【請求項５】
前記樹脂は前記第１面側に配置され、前記気体は前記樹脂に対して前記第２面側に配置されている、請求項４に記載の光制御シート。
【請求項６】
前記気体は前記第１面側に配置され、前記樹脂は前記気体に対して前記第２面側に配置されている、請求項４に記載の光制御シート。
【請求項７】
前記光透過部と前記光制御部との間の界面は、前記光の反射面を構成する第１界面と、前記第１界面に対して前記光制御部を挟んで反対側に位置する第２界面と、を有し、
前記樹脂は前記第１界面側に配置され、前記気体は前記第２界面側に配置されている、請求項４に記載の光制御シート。
【請求項８】
前記溝における前記樹脂の充填率が、２０〜８０％である、請求項４に記載の光制御シート。
【請求項９】
前記溝における前記樹脂の充填率が、４０〜６０％である、請求項８に記載の光制御シート。
【請求項１０】
前記第１光制御部分は、前記第１屈折率を有する第１樹脂であり、前記第２光制御部分は、前記第２屈折率を有する第２樹脂である、請求項１に記載の光制御シート。
【請求項１１】
前記第１樹脂が前記第１面側に配置され、前記第２樹脂は前記第１樹脂よりも前記第２面側に配置されている、請求項１０に記載の光制御シート。
【請求項１２】
前記光透過部と前記光制御部との間の界面は、前記光の反射面を構成する第１界面と、前記第１界面に対して前記光制御部を挟んで反対側に位置する第２界面と、を有し、
前記第１樹脂が前記第１界面側に配置され、前記第２樹脂は前記第２界面側に配置されている、請求項１０に記載の光制御シート。
【請求項１３】
請求項１〜１２のいずれか一項に記載の光制御シートと、
前記光制御シートの前記第１面及び前記第２面の少なくとも一方に接着層を介して配置された透光部材と、
を備える窓部材。
【請求項１４】
請求項１３に記載の窓部材を備える建具。
【発明の詳細な説明】
【技術分野】
【０００１】
本開示は、光制御シート、光制御シートを備える窓部材及び建具に関する。
【背景技術】
【０００２】
近年、省エネルギー等を目的として、日光等の外光の吸収、偏向、反射、透過等の調整を可能とする光制御シートの開発が進められている。特許文献１には、外光を採り入れるための光制御シートが開示されている。
【先行技術文献】
【特許文献】
【０００３】
【特許文献１】特開２０１４−１２６７１３号公報
【発明の概要】
【発明が解決しようとする課題】
【０００４】
特許文献１の光制御シートは、一方の表面に複数の溝を有する光透過部と、上記溝内に形成された光制御部とを備えており、光透過部と光制御部との間の界面によって光を反射させることにより、外光を室内の奥まで導くことが可能である。従来では、光の反射面（すなわち、光透過部と光制御部との間の界面）は、各溝において１つの面しか提供されておらず、その反射面の角度も、各溝で同じになるように形成されている。
【０００５】
上記の構成において、各波長の光が光透過部の入射側の面に同じ角度で入射した場合、屈折率は波長によって変わるため、各波長の光の屈折角は異なる。例えば、第１波長の光（例えば、赤の光）と第２波長の光（例えば、青の光）の屈折角は互いに異なる。したがって、各波長の光は上記反射面に対して異なる角度で入射し、また、上記反射面で反射した各波長の光は、光透過部の出射側の面から出るときも、異なる角度で屈折する。結果として、各波長の光はそれぞれ異なる角度で光制御シートから出射して室内に導かれることになる。したがって、従来の光制御シートでは、各波長の光が混ざり合うことなく、室内に虹のような光模様を生じさせる場合がある。
【０００６】
本開示は、虹のような光模様の発生を抑制することが可能な光制御シートを提供する。
【課題を解決するための手段】
【０００７】
本願は上記課題を解決する手段を複数含んでいるが、その一例をあげるならば、第１面及び第２面を有し、前記第１面から入射する光の進行方向を変えて前記第２面へ透過させる光制御シートであって、前記第１面において間隔を空けて配置された複数の溝を有する光透過部と、前記溝に形成され、前記光透過部の屈折率と異なる屈折率を有する光制御部であって、第１屈折率を有する第１光制御部分と、前記第１屈折率と異なる第２屈折率を有する第２光制御部分とを含む光制御部と、を含む、光制御シートが提供される。
【発明の効果】
【０００８】
本開示によれば、虹のような光模様の発生を抑制することができる。本開示に関連する更なる特徴は、本明細書の記述、添付図面から明らかになるものである。また、上記した以外の、課題、構成および効果は、以下の実施形態の説明により明らかにされる。
【図面の簡単な説明】
【０００９】
【図１】本開示の一実施形態に係る建物１の窓部材３の平面図である。
【図２】本開示の一実施形態に係る光制御シート１０の一部を示す概略斜視図である。
【図３】図２の光制御シート１０の概略拡大断面図である。
【図４】本開示の一実施形態に係る溝の複数の例を示す概略断面図である。
【図５】本開示の一実施形態に係る光制御シート１０の一部を示す概略断面図である。
【図６】本開示の一実施形態に係る窓部材を示す概略断面図である。
【図７】本開示の一実施形態に係る窓部材を示す概略断面図である。
【図８】本開示の一実施形態に係る光制御シート１０の一部を示す概略斜視図である。
【図９】本開示の一実施形態に係る光制御シート１０の一部を示す概略斜視図である。
【図１０】本開示の一実施形態に係る光制御シート１０の一部を示す概略斜視図である。
【図１１】本開示の一実施形態に係る光制御シート１０の一部を示す概略斜視図である。
【発明を実施するための形態】
【００１０】
以下、図面を参照して本開示の一実施形態について説明する。なお、本件明細書に添付する図面においては、図示と理解のしやすさの便宜上、適宜縮尺および縦横の寸法比等を、実物のそれらから変更し誇張してある。
【００１１】
本明細書等において「〜」を用いて表される数値範囲は、「〜」の前後に記載される数値のそれぞれを下限値及び上限値として含む範囲であることを意味する。
【００１２】
本開示の一実施形態に係る光制御シートは、建物の建具の一部として使用されるものである。例えば、建物は、複数の開口部を有し、当該開口部が窓として使用され得る。本明細書等において、窓とは、採光を目的として壁面に設けられた開口部であり、ガラス、樹脂、障子等の透光部材で外界と仕切るものを示す言葉として用いられる。窓という用語は、採光の機能を伴っていれば、人の出入り可能な通路としての開口部、いわゆる戸、扉をも含む広い概念として用いられる。
【００１３】
図１は、本開示の一実施形態に係る建物１の窓部材３の平面図である。建物１は、開口部２を有する。開口部２には窓部材３が配置されている。本例では、窓部材３は、枠４と、枠４の枠組み内に配置されたガラス等の透光部材５とを備える。
【００１４】
本開示の一実施形態に係る光制御シートは、透光部材５のガラスに沿って配置され、ガラスに入射する外光の光路を偏向して、外光が直接入射しない建物１の内部へ導くものである。例えば、光制御シートは、光透過部及び光制御部から構成されており、接着層等を介してガラスの表面に接着される。なお、光制御シートは、建物１の開口部２に沿って配置され、必要に応じて開口部２から入射する光を制御する巻き取り可能なカーテンの形態で使用されてもよい。
【００１５】
図２は、本開示の一実施形態に係る光制御シート１０の一部を示す概略斜視図であり、図３は、図２の光制御シート１０の概略拡大断面図である。光制御シート１０は、第１面１０ａと、第１面１０ａに対して反対側にある第２面１０ｂとを有し、第１面１０ａから入射する光の進行方向を変えて第２面１０ｂへ透過させる。光制御シート１０は、透光性を有するシート状の基材層１１と、光を偏向する光偏向層１２とを備える。基材層１１は、第１基材面１１ａと、第２基材面１１ｂとを有する。光偏向層１２は、基材層１１の第１基材面１１ａに形成されている。
【００１６】
基材層１１は、光偏向層１２を形成するための基材となる層である。基材層１１は、透光性を有するとともに光偏向層１２の変形を防止できるように支持する。かかる観点から、基材層１１を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００１７】
光偏向層１２は、複数の溝２１を有する光透過部２２と、溝２１に形成され、光透過部２２の屈折率と異なる屈折率を有する光制御部２３とを備える。
【００１８】
光透過部２２は、第１面１０ａにおいて間隔を空けて配置された複数の溝２１を有する。また、光透過部２２は、光制御部２３と屈折率が異なる部材である。本実施形態では、例えば図２に示すように、複数の溝２１が、第１面１０ａにおいて直線状かつ並列に配列されている。
【００１９】
光透過部２２を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。ここで、光透過部２２を構成する材料の屈折率は、基材層１１の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００２０】
光制御部２３は、溝２１に形成される部分であり、ここに照射された光を全反射して偏向可能に構成された部分である。そのため、光制御部２３は、溝２１の空間の少なくとも一部に光透過部２２よりも屈折率が低い材料が充填されることによって形成される。なお、図２及び図３では、光制御部２３に充填される材料の図示は省略されている。光制御部２３の具体的な構成は図５を用いて後述する。この構成によれば、光制御部２３と光透過部２２との屈折率差、及びその界面に入射する光の角度の関係により、入射した光が全反射条件を満たせばここでその光を全反射して偏向することができる。
【００２１】
なお、光透過部２２と光制御部２３に充填された材料との屈折率差は、０．０３以上、より好ましくは０．０５以上である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。
【００２２】
光偏向層１２は、光透過部２２と光制御部２３との間に界面を有する。光透過部２２と光制御部２３との間の界面は、光の反射面を構成する第１界面２４と、第１界面２４に対して光制御部２３を挟んで反対側に位置する第２界面２５とを有する。第１界面２４は、第１面１０ａの法線方向に非平行な面を含む。ここで、第１面１０ａの法線方向とは、第１面１０ａに対して垂直な方向をさす。図面上では、第１面１０ａの断面は直線状であるため、第１面１０ａの法線方向とは、第１面１０ａに対して垂直な方向をさす。なお、実際には、第１面１０ａの表面に微小な凹凸がある場合もある。この場合には、第１面１０ａを直線で近似し、当該直線を第１面１０ａとみなして法線方向を定義してよい。
【００２３】
第１界面２４は、第１面１０ａから第２面１０ｂに向かって形成され、第１面１０ａの法線方向に対して第１角度θ１を有する第１傾斜面２４ａと、第１傾斜面２４ａよりも第２面１０ｂ側に形成され、第１面１０ａの法線方向に対して、第１角度θ１よりも小さい第２角度θ２を有する第２傾斜面２４ｂとを有する。好ましくは、第１角度θ１は、５〜２０°である。好ましくは、第２角度θ２は、−５〜５°である。このように、異なる角度の傾斜面を設けることにより、太陽光を光透過部２２と光制御部２３との界面で全反射して偏向することができる場面を拡大することができる。したがって、第１角度θ１及び第２角度θ２は上記の観点から決められることが好ましい。
【００２４】
なお、光透過部２２における溝２１の断面及び光透過部２２と光制御部２３との間の界面の構成は、図３の例に限定されない。図４は、本開示の一実施形態に係る溝２１の複数の例を示す概略断面図である。図４（ａ）に示すように、第１界面２４及び／又は第２界面２５が曲線状の断面を有してもよい。また、図４（ｂ）に示すように、第１界面２４が、第１面１０ａの法線方向に非平行な面を一部に含むように構成されてもよい。また、第２界面２５は、第１面１０ａの法線方向に平行であってもよい。また、図４（ｃ）に示すように、第１界面２４の全体が、第１面１０ａの法線方向に非平行な面で構成されてもよい。また、図２及び図３では、全ての溝２１の断面が同じ形状で図示されているが、複数の溝２１は異なる断面形状の溝を含んでもよい。
【００２５】
図５は、本開示の一実施形態に係る光制御シート１０を示す概略断面図であり、光制御部２３の具体的な構成を説明する図である。光制御部２３は、第１屈折率ｎ１を有する第１光制御部分２６と、第１屈折率ｎ１と異なる第２屈折率ｎ２を有する第２光制御部分２７とを有する。第１屈折率ｎ１は第２屈折率ｎ２よりも大きい。したがって、第１光制御部分２６と第２光制御部分２７との屈折率差、及びその界面に入射する光の角度の関係により、光制御部２３に入射した光が全反射条件を満たせばここでその光を全反射して偏向することができる。この構成によれば、光透過部２２と光制御部２３の第１光制御部分２６との間の界面２８ａだけでなく、第１光制御部分２６と第２光制御部分２７との間の界面２８ｂや光透過部２２と第２光制御部分２７との間の界面２８ｃでも、第１面１０ａから入射した光を反射させることができる。従来では、入射光を反射する反射面が、光透過部２２と光制御部２３との界面の１つであったが、本実施形態では、光制御部２３において、入射光を反射させる複数の界面２８ａ、２８ｂ、２８ｃを提供することができる。各界面２８ａ、２８ｂ、２８ｃの角度（第１面１０ａの法線方向に対する角度）も異なるため、入射光を様々な角度で反射することができ、各波長の光が混ざり合うことになる。これにより、室内に虹のような光模様が映るのを防ぐことができる。
【００２６】
なお、第１屈折率ｎ１と第２屈折率ｎ２との屈折率差は、０．０３以上、より好ましくは０．０５以上である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。
【００２７】
本実施形態では、第１光制御部分２６は樹脂であり、第２光制御部分２７は空気である。第１光制御部分２６に用いられる材料は、溝２１内に充填することが可能な材料であり、かつ、全反射のための条件（光透過部２２との屈折率差、第２光制御部分２７との屈折率差）を満たすことが可能な材料であれば特に限定されるものではない。第１光制御部分２６に用いられる具体的な材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００２８】
本実施形態では、第１光制御部分２６である樹脂が、第１面１０ａ側に配置され、第２光制御部分２７である空気が、第１光制御部分２６に対して第２面１０ｂ側に配置されている。なお、第２光制御部分２７は、空気以外の気体でもよく、一例として、窒素などの気体でもよいし、複層ガラスで使用されるアルゴンガス等でもよい。
【００２９】
上述の構成において、樹脂（第１光制御部分２６）の充填率について検討した。以下の作成方法によって比較例１、比較例２、実施例１〜４を作成した。なお、以下では、溝２１における樹脂の充填率とは、溝２１の深さＤ１に対する樹脂の高さＤ２の割合によって定義される（図５参照）。
【００３０】
［比較例１］
比較例１は、光制御部２３に樹脂が充填されず、光制御部２３が空気のみで構成されている光制御シートである。連続帯状の透明２軸延伸ポリエチレンテレフタレート（ＰＥＴ）フィルム（膜厚：１００μｍ）の一方の表面に、アクリル系モノマー、ウレタンアクリレート系オリゴマー、光重合開始剤等からなる液状の光透過部用組成物を、硬化後の膜厚が１２０μｍとなるように塗布した。
表面の面方向に沿って円周方向に直線状に連なり、その主切断面が、高さ１６５μｍ、版表面側の幅が３３μｍ、版表面から遠い側の幅が１０μｍの台形の凸部を、５９μｍ周期で互いに平行に配列した複数の凸状群（溝２１と同形状且つ逆凹凸）が形成されたロール金型を準備した。
上記ロール金型とＰＥＴフィルムとの間に上記光透過部用組成物が挟まれた状態で、水銀灯を用いて紫外線照射を行い、上記光透過部用組成物を架橋硬化させた後、ロール金型を剥離した。これにより、ＰＥＴフィルム（基材層１１）の片面上に、複数の溝２１を有する光透過部２２を形成した。
溝２１の断面形状は、上記ロール金型の凸状群の反転形状である。すなわち、複数の溝２１は、台形の凹状群である。なお、光透過部２２の屈折率は１．６０であった。
【００３１】
［比較例２］
比較例２は、比較例１で作製した光透過部２２の溝２１内に第１光制御部分２６として樹脂を充填した光制御シートである。アクリル系モノマー、ウレタンアクリレート系オリゴマー、光重合開始剤等からなる液状組成物（第１光制御部分用組成物）を調製し、これを光透過部２２の溝２１に塗布した。その後、鉄製ドクターブレードでスキージして上記第１光制御部分組成物を凹状の溝２１内のみに充填させた。その後、水銀灯を用いて紫外線照射を行い架橋硬化させて第１光制御部分２６を得た。上記第１光制御部分組成物の粘度が１４００ｍＰａ・ｓ（２５℃）であり、その屈折率は１．４７であった。このとき、溝２１における第１光制御部分２６の充填率は、溝２１の深さ（１６５μｍ）に対する第１光制御部分２６の高さ（１５８〜１６２μｍ）の割合によって計算した。比較例２の充填率は、９５％以上であった。
【００３２】
［実施例１〜４］
実施例１〜４は、比較例２の第１光制御部分用組成物の粘度を調整した光制御シートである。実施例１、２、３、４における第１光制御部分用組成物の粘度は、それぞれ、２２００  ｍＰａ・ｓ（２５℃）、２８００  ｍＰａ・ｓ（２５℃）、３４００  ｍＰａ・ｓ（２５℃）、４０００  ｍＰａ・ｓ（２５℃）であった。この時、実施例１、２、３、４における第１光制御部分２６の充填率は、それぞれ、平均８０％、６０％、４０％、２０％となった。実施例１、２、３、４における第１光制御部分２６の屈折率は、それぞれ、１．４７５、１．４８、１．４８５、１．４９となった。
【００３３】
比較例１、２、及び、実施例１、２、３、４をガラスに貼合し、虹の発生度合を評価した。なお、光制御シートに対して入射させる直線光の入射角は、３０°、６０°とした。虹発生度合いの評価は以下のように行った。どちらの入射角でもはっきりと虹が確認出来るものは「×」、入射角６０°の時のみ虹が確認されたものは「○」、どちらの入射角でも虹がなくなったものは「◎」とした。
【００３４】
【表１】
2018132735.tif 000003
【００３５】
以上から、虹の発生度合を考慮すると、溝２１における第１光制御部分２６の充填率は、好ましくは２０〜８０％であり、より好ましくは、４０〜６０％である。
【００３６】
図６は、本開示の一実施形態に係る窓部材を示す概略断面図である。本実施形態では、光制御シート１０の第１面１０ａが、接着層３１を介して窓部材を構成する透光部材（例えば、ガラス）３２の表面に接着される。なお、光制御シート１０は、図示しない追加の層を備えてもよい。例えば、光制御シート１０は、第２面１０ｂに、表面保護を目的として、ハードコート層を備えてもよい。
【００３７】
図７は、本開示の一実施形態に係る窓部材を示す概略断面図である。光制御シート１０は、合わせガラス構造の中間膜として用いられてもよい。窓部材は、第１透光部材（例えば、ガラス）３２と、第２透光部材（例えば、ガラス）３４と、第１透光部材３２と第２透光部材３４との間に配置された光制御シート１０とを備える。第１透光部材３２は、光制御シート１０の第１面１０ａに第１接着層３１を介して接着されている。第２透光部材３４は、光制御シート１０の第２面１０ｂに第２接着層３３を介して接着されている。本実施形態では、光制御シート１０が合わせガラス構造の中間膜として使用されているため、日光等の外光を室内へ導く機能を備えながらも、外部衝撃に強く、また、遮音性も高めた窓部材を提供することができる。
【００３８】
図８は、本開示の一実施形態に係る光制御シート１０を示す概略斜視図である。本実施形態では、第２光制御部分２７である空気が、第１面１０ａ側に配置されている。また、第１光制御部分２６である樹脂が、空気に対して第２面１０ｂ側に配置されている。この構成によれば、光透過部２２と第２光制御部分２７との間の界面２８ｄ、第１光制御部分２６と第２光制御部分２７との間の界面２８ｅ、及び、光透過部２２と第１光制御部分２６との間の界面２８ｆで、第１面１０ａから入射した光を反射させることができる。この構成によれば、光制御部２３において、入射光を反射させる複数の界面２８ｄ、２８ｅ、２８ｆを提供することができ、また、入射光を様々な角度で反射することができる。したがって、各波長の光が混ざり合うことになるため、室内に虹のような光模様が映るのを防ぐことができる。
【００３９】
図９は、本開示の一実施形態に係る光制御シート１０を示す概略斜視図である。本実施形態では、第１光制御部分２６である樹脂が、第１界面２４側に配置されている。また、第２光制御部分２７である空気が、第２界面２５側に配置されている。この構成によれば、光透過部２２と第１光制御部分２６との間の界面２８ｇ、及び、第１光制御部分２６と第２光制御部分２７との間の界面２８ｈで、第１面１０ａから入射した光を反射させることができる。この構成によれば、光制御部２３において、入射光を反射させる複数の界面２８ｇ、２８ｈを提供することができ、また、入射光を様々な角度で反射することができる。したがって、各波長の光が混ざり合うことになるため、室内に虹のような光模様が映るのを防ぐことができる。
【００４０】
図１０は、本開示の一実施形態に係る光制御シート１０を示す概略斜視図である。本実施形態では、第１光制御部分２６は、第１屈折率ｎ１を有する第１樹脂であり、第２光制御部分２７は、第２屈折率ｎ２を有する第２樹脂である。第１光制御部分２６である第１樹脂が、第１面１０ａ側に配置されている。また、第２光制御部分２７である第２樹脂が、第１樹脂よりも第２面１０ｂ側に配置されている。
【００４１】
第１樹脂及び第２樹脂として用いられる材料は、溝２１内に充填することが可能な材料であり、かつ、全反射のための条件（光透過部２２との屈折率差、第１屈折率ｎ１と第２屈折率ｎ２の屈折率差）を満たすことが可能な材料であれば特に限定されるものではない。例えば、第１樹脂及び第２樹脂に用いられる具体的な材料としては、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００４２】
この構成によれば、光透過部２２と第１光制御部分２６との間の界面２８ｉ、第１光制御部分２６と第２光制御部分２７との間の界面２８ｊ、及び、光透過部２２と第２光制御部分２７との間の界面２８ｋで、第１面１０ａから入射した光を反射させることができる。この構成によれば、光制御部２３において、入射光を反射させる複数の界面２８ｉ、２８ｊ、２８ｋを提供することができ、また、入射光を様々な角度で反射することができる。したがって、各波長の光が混ざり合うことになるため、室内に虹のような光模様が映るのを防ぐことができる。
【００４３】
図１１は、本開示の一実施形態に係る光制御シート１０を示す概略斜視図である。本実施形態では、第１光制御部分２６である第１樹脂が、第１界面２４側に配置されている。また、第２光制御部分２７である第２樹脂が、第２界面２５側に配置されている。
【００４４】
図１０及び図１１の構成によれば、光透過部２２と光制御部２３の第１光制御部分２６との界面だけでなく、第１光制御部分２６と第２光制御部分２７との間の界面でも、第１面１０ａから入射した光を反射させることができる。この構成によれば、光透過部２２と第１光制御部分２６との間の界面２８ｌ、及び、第１光制御部分２６と第２光制御部分２７との間の界面２８ｍで、第１面１０ａから入射した光を反射させることができる。この構成によれば、光制御部２３において、入射光を反射させる複数の界面２８ｌ、２８ｍを提供することができ、また、入射光を様々な角度で反射することができる。したがって、各波長の光が混ざり合うことになるため、室内に虹のような光模様が映るのを防ぐことができる。
【００４５】
なお、本開示は上述した実施形態に限定されるものではなく、他の様々な変形例が含まれる。例えば、上述した実施形態は本開示を分かりやすく説明するために詳細に説明したものであり、必ずしも説明した全ての構成を備えるものに限定されるものではない。また、ある実施形態の構成の一部を他の実施形態の構成に置き換えることがあり、また、ある実施形態の構成に他の実施形態の構成を加えることも可能である。また、各実施形態の構成の一部について、他の構成の追加・削除・置換をすることが可能である。
【符号の説明】
【００４６】
１        …建物
２        …開口部
３        …窓部材
４        …枠
５        …透光部材
１０      …光制御シート
１０ａ    …光制御シートの第１面
１０ｂ    …光制御シートの第２面
１１      …基材層
１１ａ    …第１基材面
１１ｂ    …第２基材面
１２      …光偏向層
２１      …溝
２２      …光透過部
２３      …光制御部
２４      …第１界面
２４ａ    …第１傾斜面
２４ｂ    …第２傾斜面
２５      …第２界面
２６      …第１光制御部分
２７      …第２光制御部分
【図１】
2018132735.tif 000004
【図２】
2018132735.tif 000005
【図３】
2018132735.tif 000006
【図４】
2018132735.tif 000007
【図５】
2018132735.tif 000008
【図６】
2018132735.tif 000009
【図７】
2018132735.tif 000010
【図８】
2018132735.tif 000011
【図９】
2018132735.tif 000012
【図１０】
2018132735.tif 000013
【図１１】
2018132735.tif 000014